(57)【特許請求の範囲】
【請求項１】
ストッパの役目を果すボデー部及び当該ボデー部に連続して設けられるものであって取付部材への装着に寄与する係合部からなるものであって全体がゴム状弾性体にて一体的に形成されるクッションにおいて、上記係合部を自由状態時において横方向に張り出すように形成された袋状部を有するようにするとともに、当該袋状部のボデー部への付け根部のところには中空状のくびれ部を有するようにし、更に、上記ボデー部のところにも上記くびれ部の中空部のところを通って上記袋状部に通ずるように形成された中空穴を有するようにし、このような構成からなる上記袋状部の底面部の内側のところから上記くびれ部及びボデー部に設けられた中空穴内を通ってボデー部上端面側に伸びるように形成された直立状の操作部を上記袋状部と一体的に設け、このような操作部を押し引き操作することによって上記袋状部を拡径または縮径させることのできるようにした構成からなることを特徴とするクッション。
【請求項２】
請求項１記載のクッションにおいて、上記係合部の外周部のところであってくびれ部の下方部のところに、自由状態時において放射状に張り出すように形成された係合突起部を複数個設けるようにした構成からなることを特徴とするクッション。
【発明の詳細な説明】
【０００１】
【発明の属する技術分野】
本発明は、ドアあるいはリッド等に設けられるものであって、これらドアあるいはリッド等の閉時に、当該ドア等に入力する衝撃力（荷重）を緩和させるようにしたクッションに関するものであり、特に、その装着性（組付性）に優れているとともに、一旦組付けられた後は脱落等の問題の生ずることのないようにしたクッションに関するものである。
【０００２】
【従来の技術】
従来のこれらのクッションは、例えば図１７に示す如く、円錐台状の形態からなるものであって衝撃吸収機能を有するボデー部１０と、当該円錐台状ボデー部１０の底面部１１０のところから直立状に設けられるものであって円環状の形態からなるとともにテーパ面からなる挿入部３０を有する係合部２０と、からなるものである。そして、これらがゴム部材等にて一体的に形成されるようになっているものである。
【０００３】
【発明が解決しようとする課題】
ところで、このような構成からなるクッションを所定の部材９０（図１７参照）等に取付けようとすると、上記挿入部３０がゴム部材からなるものであるので部材９０との間において滑り性が良くなく、これに対処するために潤滑材を塗布したりしている場合がある。しかしながら、それでも装着性（組付性）が充分ではないと言う問題点があり、この装着性（組付性）の問題点を解決するためにパネル部材９０側の取付穴の径を大きくしたりしている場合がある。しかしながら、この装着性を優先させようとすると、装着された後（組付けられた後）において、ボデー部１０のところに軸直角方向の荷重（力）が加わった場合にクッション自体がこじられて脱落してしまうと言う問題点がある。このような問題点を解決するために、係合部を縮径させて装着性（組付性）を良くするようにするとともに、組付けられた後は脱落等の問題の生ずることのないようにしたクッションを提供しようとするのが、本発明の目的（課題）である。
【０００４】
【課題を解決するための手段】
上記課題を解決するために、本発明においては、次のような手段を講ずることとした。すなわち、請求項１記載の発明においては、ストッパの役目を果すボデー部及び当該ボデー部に連続して設けられるものであって取付部材への装着に寄与する係合部からなるものであって全体がゴム状弾性体にて一体的に形成されるクッションに関して、上記係合部を自由状態時において横方向に張り出すように形成された袋状部を有すようにするとともに、当該袋状部のボデー部への付け根部のところには中空状のくびれ部を有するようにし、更に、上記ボデー部のところにも上記くびれ部の中空部のところを通って上記袋状部に通ずるように形成された中空穴を有するようにし、このような構成からなる上記袋状部の底面部の内側のところから上記くびれ部及びボデー部に設けられた中空穴内を通ってボデー部上端面側に伸びるように形成された直立状の操作部を上記袋状部と一体的に設け、このような操作部を押し引き操作することによって上記袋状部を拡径または縮径させることのできるようにした構成を採ることとした。
【０００５】
このような構成を採ることにより、本発明のものにおいては、上記係合部を形成する袋状部を上記操作部を操作することによって縮径させて取付部材の取付穴へ簡単に装着することができるようになる。そして、このようにして上記縮径された部分が所定の取付穴内に装着された後は、この縮径された部分が弾性力の作用により元の形態に戻ること等によって全体的に拡がった状態になるので、これによって係合部は上記取付穴に確実に保持されるようになる。従って、本クッションは上記装着された状態から簡単には脱落しないようになる。
【０００９】
また、本発明のものにおいては、上記操作部を押し引き操作することによって上記係合部のところを上記取付穴に簡単に装着することができるようになる。すなわち、まず、上記操作部を上方に引上げることによって横に張出した状態の袋状の係合部をボデー部内に形成された中空穴内へ引き込ませ、これによって係合部を縮径させるようにする。そして、縮径されたところをもって取付穴内に挿入するとともに、このような状態において上記操作部のところを押下げることによって袋状の係合部を元の状態に拡張させる。このような一連の操作をすることによって、係合部は上記取付穴のところに簡単に係合するようになる。そして、一旦装着された後は、上記袋状の係合部のところが横方向に張出した状態で存在するようになるので、本クッションは上記取付穴のところから簡単には脱落しないようになる。
【００１０】
次に、請求項２記載の発明について説明する。このものも、その基本的な点は、上記請求項１記載のものと同じである。すなわち、本発明においては、請求項１記載のクッションに関して、上記係合部の外周部のところであってくびれ部の下方部のところに、自由状態時において放射状に張り出すように形成された係合突起部を複数個設けるようにした構成を採ることとした。
【００１１】
本発明のものにおいては、上記請求項１記載のものに加えて、更に、上記係合部の外周部のところであってくびれ部の下方部のところには、自由状態時において放射状に張り出すように形成された係合突起部が複数個設けられるようになっている。そして、このような係合部を形成する袋状部の底面部のところからは上記請求項１記載のものと同様、上方に向かって伸びるように形成された直立状の操作部が一体的に設けられるようになっている。
【００１２】
このような構成を採ることにより、本発明のものにおいても、上記請求項１記載のものと同様、上記操作部を押し引き操作することによって上記係合突起部のところを取付部材に設けられた取付穴のところに簡単に係合させる（装着する）ことができるようになる。具体的には、まず、上記操作部を上方に引上げることによって横に張出した状態の係合突起部をボデー部内に形成された中空穴内へ引き込ませ、これによって係合部を縮径させるようにする。そして、この縮径された部分をもって、取付穴内にのぞませるとともにくびれ部のところを取付穴に挿入する。このような状態において、上記操作部のところを下方へ押下げることによって係合部を形成する袋状部を元の状態に戻すとともに係合突起部を取付穴周りの取付部材に係合させる。このような一連の操作をすることによって、係合部は上記取付穴のところに係合するようになる。そして、このように一旦装着された後は、上記係合突起部のところが横方向に張出した状態で存在するようになるので、本クッションのところに軸直角方向荷重あるいは斜め方向荷重等が作用したとしても、本クッションは上記取付穴のところから簡単には脱落しないようになる。
【００１５】
【発明の実施の形態】
本発明の実施の形態について、図１ないし図１６を基に説明する。そのうちの第一の実施形態について、図１ないし図３を基に説明する。本第一の実施形態に関するものの、その構成は、図１に示す如く、ストッパの役目を果すボデー部１と、当該ボデー部１に連続して設けられるものであって取付部材９への装着に寄与する係合部２と、からなるものであって、これらがゴム状弾性体にて一体的に形成されるようになっていることを基本とするものである。なお、上記ゴム状弾性体にはゴム材の他に熱可塑性エラストマあるいはプラスチック材等も含まれるものである。このような構成からなるものにおいて、上記係合部２のボデー部１への付け根部のところには中空状のくびれ部２２が設けられるとともに、上記ボデー部１のところにも上記くびれ部２２の中空部２２５のところを通って上記袋状係合部（袋状部）２１に通ずるように、かつ、所定の棒状部材からなる治具５を挿入することができるように形成された中空穴１５が設けられるようになっているものである。
【００１６】
このような構成からなる本実施の形態のものについての取付部材９の取付穴９１への装着に当たっては、まず、図２に示す如く、所定の棒状部材からなる治具５を上記ボデー部１のところに設けられた中空穴１５並びにくびれ部２２のところに設けられた中空部２２５を通って袋状部２１内へ挿入する。そして、上記棒状部材からなる治具５を下方へ押し込むようにする。これによって、上記袋状部２１全体がくびれ部２２のところとほぼ同じ値の径を有するように縮径させる。このような状態のものを取付部材９に設けられた取付穴９１に挿入し、上記くびれ部２２のところが取付穴９１のところに収まった状態において上記治具５を引き抜く。これによって、上記係合部２は取付穴９１のところに装着されるようになる。そして、このようにして一旦装着された後は、上記袋状部２１を主体とした係合部２全体が、その弾性力の作用により元の状態に戻り、全体的に拡張されるようになるので、本クッションは上記取付穴９１のところから簡単には脱落しないようになる。
【００１７】
なお、上記係合部２の取付穴９１への挿入作業において、その作業性を向上させるために治具５に改良を加えたものとして、例えば図３に示すようなものが挙げられる。このものは、棒状部材からなる治具５の支持用としてホルダ５５を付け加えるようにしたものである。すなわち、図３に示す如く、ボデー部１の下方部のところに係合溝１９を予め設けておくとともに、この係合溝１９内にホルダ５５の先端部に設けられた係合爪５５１を嵌め込ませるようにする。このようにクッションと治具５と等の一体化された状態のものをもって、取付穴９１に上記係合部２をのぞませる。そして、上記くびれ部２２が取付穴９１に嵌まり込んだ状態において、上記棒状部材からなる治具５を引き抜くとともに、ホルダ５５の係合爪５５１をボデー部１に設けられた係合溝１９から取り外す。これによって、本クッションの取付穴９１への装着作業が、円滑に、かつ、迅速に行われるようになる。
【００１８】
次に、本第一の実施形態のものについての、その変形例について、図１１を基に説明する。このものの特徴とするところは、袋状係合部２１の縮径化を吸引手段にて行わせるようにしたことである。その具体的構成は、図１１の（Ａ）に示す如く、ストッパの役目を果たすボデー部１と、当該ボデー部１に連続して設けられるものであって取付部材９への装着に寄与する袋状の係合部２と、からなることを基本とするものである。そして、上記係合部２のボデー部１への付け根部のところには中空状のくびれ部２２が設けられるとともに、上記ボデー部１のところにも上記くびれ部２２の中空部のところを通って上記袋状の係合部（袋状部）２１に通ずるように中空穴１５が設けられるようになっているものである。そして、本変形例のものにおいては、これらに加えて、上記袋状部２１の中央部のところに薄肉部２９が設けられるようになっている。次に、このような構成からなる本クッションの取付部材９に設けられた取付穴９１への装着手順について、図１１の（Ｂ）、（Ｃ）を基に説明する。まず、図１１の（Ｂ）に示す如く、所定の吸引手段を用いて、上記中空穴１５側から袋状部２１の内部空間を吸引する。そうすると、上記袋状部２１の中央部には所定の薄肉部２９が設けられているところから、袋状部２１は、図１１の（Ｂ）に示す如く、全体がしぼんだ形態となり、係合部２は縮径される。このように縮径された状態の係合部２のところを取付部材９の取付穴９１に挿入するとともに付け根部に設けられたくびれ部２２のところを取付穴９１に係合させる（嵌め込ませる）。このような状態において、上記吸引を止めて中空穴１５から空気を吹き込むようにする。これによって、袋状係合部（袋状部）２１全体を膨らませる。その結果、図１１の（Ｃ）に示す如く、くびれ部２２が取付穴９１に係合した状態で本クッションが装着されることとなる。このように、本変形例のものにおいては、吸引手段にて袋状部２１をしぼませる（縮径させる）ことによって取付穴９１に簡単に装着することができるようになるとともに、一旦装着された後は、袋状部２１を膨らませることによってくびれ部２２が取付穴９１に嵌り込むようになり、これによって、本クッションは上記取付穴９１に確実に係合するようになる。
【００１９】
次に、第二の実施形態について、図４及び図５を基に説明する。このものも、その基本的な点は上記第一の実施形態のものと同じである。すなわち、本実施の形態のものは、図４の（Ａ）に示す如く、全体がゴム状弾性体にて一体的に形成されるものであって、ストッパの役目を果たすボデー部１と、当該ボデー部１に連続して設けられるものであって取付部材９の取付穴９１への取付に寄与する係合部２と、からなることを基本とするものである。このような基本構成からなるものにおいて、上記係合部２を形成する袋状部２１を自由状態時において横方向に張り出すように形成させておくとともに、このような袋状部２１の底面部の内側のところからくびれ部２２及びボデー部１に設けられた中空穴１５内を通ってボデー部１の上端面側に向かって伸びるように、かつ、その先端部が上記ボデー部１の上端面（当たり面）よりもわずかに上に出るように形成された直立状の操作部２１５を、上記袋状部２１と一体的に設けるようにする。
【００２０】
このような構成を採ることにより、本実施の形態のものにおいても、上記第一の実施の形態のものと同様、上記操作部２１５を押し引き操作することによって上記係合部２のところを上記取付穴９１に簡単に装着することができるようになる。具体的には、まず、図４の（Ｂ）に示すように、上記操作部２１５を上方に引上げることによって横に張出した状態の袋状部２１をボデー部１内に形成された中空穴１５内へ引き込ませ、これによって係合部２を縮径させるようにする。そして、この縮径された部分をもって取付穴９１内にのぞませるとともに、そこに挿入する。このような状態において、図４の（Ｃ）に示す如く、上記操作部２１５のところを下方へ押下げることによって袋状部２１を元の状態に拡張させる。このような一連の操作をすることによって、係合部２は上記取付穴９１のところに簡単に係合するようになる。そして、このように一旦装着された後は、上記袋状部２１のところが横方向に張出した状態で存在するようになるので、例えば図５に示す如く、本クッションのところに軸直角方向荷重あるいは斜め方向荷重等が作用したとしても、本クッションは上記取付穴９１のところから簡単には脱落しないようになる。
【００２１】
次に、第三の実施形態について、図６及び図７を基に説明する。このものも、その基本的な点は上記第二の実施形態のものと同じである。すなわち、本実施の形態のものは、図６に示す如く、全体がゴム状弾性体にて一体的に形成されるものであって、ストッパの役目を果たすボデー部１と、当該ボデー部１に連続して設けられるものであって取付部材９の取付穴９１への取付に寄与する係合部２と、からなることを基本とするものである。このような基本構成からなるものにおいて、例えば図６に示す如く、上記係合部２の外周部のところであってくびれ部２２の下方部のところには、自由状態時において放射状に張り出すように形成された係合突起部２３が複数個設けられるようになっている。そして、このような係合部２の底面部２１１のところからは上記第二の実施形態のものと同様、上方に向かって伸びるように形成された直立状の操作部２１５が一体的に設けられるようになっている。なお、この操作部２１５の上端面は上記ボデー部１の上端面である当たり面とほぼ同じ面高さを有するように形成されるようになっている。これによって、当該操作部２１５の上端部をつまんで押し引き操作をすることができるようにしているものである。
【００２２】
このような構成を採ることにより、本実施の形態のものにおいても、上記第二の実施形態のものと同様、上記操作部２１５を押し引き操作することによって上記係合部突起部２３のところを上記取付穴９１に簡単に係合させる（装着する）ことができるようになる。具体的には、まず、図７の（Ｂ）に示すように、上記操作部２１５を上方に引上げることによって横に張出した状態の係合突起部２３をボデー部１内に形成された中空穴１５内へ引き込ませ、これによって係合部２を縮径させるようにする。そして、この縮径された部分をもって、図７の（Ｃ）に示す如く、取付穴９１内にのぞませるとともにくびれ部２２のところを取付穴９１に挿入する。このような状態において、図７の（Ｄ）に示す如く、上記操作部２１５のところを下方へ押下げることによって係合部２を元の状態に戻すとともに係合突起部２３を取付穴９１周りの取付部材９に係合させる。このような一連の操作をすることによって、係合部２は上記取付穴９１のところに係合するようになる。そして、このように一旦装着された後は、上記係合突起部２３のところが横方向に張出した状態で存在するようになるので、本クッションのところに軸直角方向荷重あるいは斜め方向荷重等が作用したとしても、本クッションは上記取付穴９１のところから簡単には脱落しないようになる。
【００２３】
次に、第四の実施形態について、図８ないし図１０を基に説明する。このものも、その基本的な点は上記第一の実施形態のもの等と同じである。すなわち、本実施の形態のものは、図８に示す如く、全体がゴム状弾性体にて一体的に形成されるものであって、ストッパの役目を果たすボデー部１と、当該ボデー部１に連続して設けられるものであって取付部材９の取付穴９１への取付に寄与する係合部２と、からなることを基本とするものである。このような基本構成からなるものにおいて、上記係合部２は、ボデー部１の底面部から直立状に設けられる柱状体部２５を主に形成されるようになっているものである。具体的には、本柱状体部２５のボデー部１への取付部の付け根部付近に設けられるものであって所定の径並びに取付部材９のほぼ板厚に対応した所定の長さを有する装着部２４と、当該装着部２４の下端部のところから本係合部２の先端部にかけて設けられる弾性リブ２５１と、からなるものである。そして、この弾性リブ２５１は、例えば図９に示す如く、横断面形態において、放射状に拡がるように形成される複数本のものから成るようになっているものである。そして、更に、このような弾性リブ２５１の設けられるその下方部であって本係合部２の先端部のところには、先細り状に形成された導入部２５５が設けられるようになっている。
【００２４】
このような構成を採ることにより、本実施の形態のものにおいては、上記弾性リブ２５１のところを取付穴９１にのぞませた状態において、上記ボデー部１のところをひねるように捩ることによって、上記弾性リブ２５１の先端部のところが、図９に示すように曲げられて、弾性リブ２５１を有する係合部２全体が縮径されるようになる。そして、このようなひねり操作を続けることによって、上記縮径された弾性リブ２５１のところが徐々に取付穴９１内に押し込まれるようになり、最終的には弾性リブ２５１全体が上記取付穴９１のところを通過して柱状体部２５の付け根部に形成された装着部２４のところが取付穴９１に嵌り込むようになる。このように、本クッションは装着作業が比較的簡単に行われるようになる。そして、一旦装着された後は、上記弾性リブ２５１が、その弾性力によって放射状に拡がり、本弾性リブ２５１の上端面のところが取付穴９１周りの取付部材９に係合するようになる。従って、本クッションは簡単には脱落しないようになる。
【００２５】
なお、上記構成からなる弾性リブ２５１の変形例として、図１０に示すようなものが挙げられる。このものは、上記弾性リブ２５１の高さを低く設定するとともに、ボデー部１の底面部側に所定のフランジ部１１を設けるようにしたものである。このようなフランジ部１１を設けることによって取付部材９への装着が容易になる。また、一方、弾性リブ２５１は、その高さが低く抑えられているので、その上下方向の撓み量が少なくなり、本弾性リブ２５１にて形成される取付穴９１周りの取付部材９への緊迫力は強くなる。その結果、本クッションは上記取付部材９に強い挟持力にて取付けられることとなる。
【００２６】
次に、第五の実施形態について、図１２を基に説明する。このものは、係合部２を全体的にコーン状の形態からなるようにするとともに、このようなコーン状係合部２のボデー部１への付け根部の付近に形成される外周部のところに放射状に複数の肉抜き部２５２を等間隔状に設けるようにしたことである。このような肉抜き部２５２を設けることによって、相隣る肉抜き部間に側面形状が三角形の形態からなる弾性リブ２５１がコーン状係合部２の外周部のところに形成されることとなる。このようなコーン状係合部２の外周縁部のところに肉抜き部２５２が設けられることにより、上記係合部２の外周縁部の径を比較的大きくとっても、上記弾性リブ２５１の先端部が容易に撓むようになるので、取付穴９１への装着は比較的容易に行うことができるようになる。その一方、一旦装着された後は、上記コーン状係合部２の外周縁部の径、すなわち、弾性リブ２５１の一般外周縁径が大き目に形成されていることより、この部分が取付穴９１の縁に係合し、本クッションの脱落が抑止されるようになる。すなわち、本クッションは簡単には脱落しないようになる。
【００２７】
次に、第六の実施形態について、図１３ないし図１６を基に説明する。このものも、基本的な点は上記第一の実施形態のもの等と同じである。すなわち、本実施の形態のものは、図１３に示す如く、全体がゴム状弾性体にて一体的に形成されるものであって、ストッパの役目を果たすボデー部１と、当該ボデー部１に連続して設けられるものであって取付部材９の取付穴９１への取付に寄与する係合部２と、からなることを基本とするものである。このような基本構成からなるものにおいて、本実施の形態においては、上記係合部２を、例えば図１４に示す如く、上記ボデー部１への付け根部のところに形成されるものであって所定の径及び所定の長さを有するように形成される装着部２４と、自由状態時においては上記装着部２４のところから放射状に拡がるように形成される複数本の脚部２６と、からなるようにするとともに、このような各脚部２６の先端部付近に、所定のＯリング８が嵌り込むように形成された凹溝２６８を設けるようにする。
【００２８】
このような構成を採ることにより、本実施の形態のものにおいては、上記取付部材９の取付穴９１への装着に当たっては、まず、図１５の（Ａ）に示す如く、上記放射状に拡がるように形成された各脚部２６の先端部をまとめて一束状に束ねるとともに、このように束ねられた脚部２６の先端部に設けられた凹溝２６８内に所定の径を有するＯリング８を嵌め込む。これによって、各脚部２６はまとめられて一本の棒状体を形成するようになる。このように棒状に形成された脚部２６の先端部のところを、図５の（Ｂ）に示すように取付穴９１に差し込む。そして、このとき、上記Ｏリング８は、図１５の（Ｃ）に示す如く、取付穴９１の際のところに係合させた状態で残しておくようにする。このような状態において、図１５の（Ｄ）、（Ｅ）に示す如く、本クッション全体を上方から押し付け、上記棒状に形成された脚部２６全体を取付穴９１内へ進入させるようにする。このような一連の操作を行なうことによって、上記Ｏリング８は装着部２４の付け根部まで移動させられるとともに、脚部２６全体も上記取付穴９１を通過して最終的には装着部２４のところが取付穴９１に係合するようになる（図１５の（Ｅ）参照）。これによって、本クッションの取付穴９１への装着（嵌め込み）が完了することとなる。そして、このとき、上記Ｏリング８は装着部２４の付け根部のところに位置するようになり、脚部２６を束ねる機能は発揮し得ないようになる。従って、脚部２６は自由状態となり、図１５の（Ｅ）に示す如く、元の状態の拡がった形態となる。その結果、拡がった脚部２６が取付穴９１に対する拘束力を発揮することとなり、本クッションは上記取付穴９１から簡単には脱落しないようになる。また、本実施の形態のものにおいては、上記Ｏリング８が上記取付穴９１の周りの取付部材９のところに接するように組付けられることによって、本クッション周りのシール性の向上が図られるようになる。
【００２９】
なお、本実施の形態のものにおいて、上記各脚部２６間に、例えば図１６に示すような薄膜状のフランジ２６１を設けるようにしたものが考えられる。このようなフランジ２６１を設けることによって、本クッションの抜け止め機能が高められるようになるとともに、薄膜によるシール性も高められるようになる。その結果、遮音性あるいは液密性が高められることとなる。
【００３０】
【発明の効果】
本発明によれば、ストッパの役目を果すボデー部及び当該ボデー部に連続して設けられるものであって取付部材への装着に寄与する係合部からなるクッションに関して、全体をゴム状弾性体にて形成させるとともに、上記係合部を所定の手段にてその横断面形態において縮径させるようにし、このように縮径されたものを取付部材の取付穴に装着させ、一方、装着された後は上記縮径された部分が弾性力の作用により初期の状態に戻るようにした構成を採ることとしたので、上記係合部を所定の手段にて縮径させることによって取付部材の取付穴へ簡単に装着することができるようになった。そして、このようにして上記縮径された部分が所定の取付穴内に装着された後は、この縮径された部分が弾性力の作用により元の形態に戻ることとなり、全体的に拡がった状態となるので、これによって係合部は上記取付穴に確実に保持されるようになった。その結果、本クッションは上記装着された状態から簡単には脱落しないようになった。
【００３１】
また、本発明においては、上記係合部を所定の弾力性と剛性とを有するものであって全体が袋状の形態からなるとともに、そのボデー部への付け根部のところには中空状のくびれ部を有するようにし、更に、上記ボデー部のところにも上記くびれ部の中空部のところを通って上記袋状係合部に通ずるように形成された中空穴を有するようにした構成を採ることとしたので、例えば所定の棒状部材等を上記ボデー部のところに設けられた中空穴及びくびれ部の中空部を通って袋状の係合部内へ挿入するとともに、この棒状部材を押し込むことによって上記袋状の係合部全体をくびれ部のところの径とほぼ同じ値となるように縮径させ、このような状態のものを上記取付穴に挿入し、上記くびれ部のところが取付穴のところに収まった状態において上記棒状部材を引き抜くことによって、上記係合部を取付穴のところに簡単に装着することができるようになった。一方、一旦装着された後は、上記袋状係合部全体が、その弾性力の作用により元の状態に戻り、全体的に拡張されるようになるので、本クッションは上記取付穴のところから簡単には脱落しないようになった。
【００３２】
また、本発明においては、上記係合部を形成する袋状部を自由状態時において横方向に張り出すように形成させておくとともに、このような袋状部の底面部の内側のところから上記くびれ部及びボデー部に設けられた中空穴内を通ってボデー部の上端面側に伸びるように形成された直立状の操作部を、上記袋状の係合部と一体的に設けるようにした構成を採ることとしたので、上記操作部を押し引き操作することによって上記係合部のところを上記取付穴に簡単に装着することができるようになった。すなわち、まず、装着に当たっては、上記操作部を上方に引上げることによって横に張出した状態の袋状係合部をボデー部内に形成された中空穴内へ引き込ませ、これによって係合部を縮径させるようにし、当該縮径されたところをもって取付穴内に挿入するとともに、このような状態において上記操作部のところを押下げることによって袋状部を元の状態に拡張させ、このような一連の操作をすることによって、係合部は上記取付穴のところに簡単に係合するようになった。そして、一旦装着された後は、上記袋状の係合部のところが横方向に張出した状態で存在するようになるので、本クッションは上記取付穴のところから簡単には脱落しないようになった。
【００３３】
また、本発明においては、上記係合部をボデー部の底面部から直立状に設けられる柱状体部を基礎に形成させるとともに、この柱状体部の上記ボデー部への付け根部のところには所定の径及び長さを有する装着部を有するようにし、この装着部の下端部から係合部の先端部にかけては、その横断面形態において放射状に形成された複数本の弾性リブを有するようにした構成を採ることとしたので、上記弾性リブのところを取付穴にのぞませた状態において、上記ボデー部のところをひねるように廻すことによって、上記弾性リブの先端が曲げられて、弾性リブを有する係合部全体が縮径されるようになり、このようなひねり操作を続けることによって上記縮径された弾性リブのところが徐々に取付穴に押し込まれるようになり、最終的には弾性リブ全体が上記取付穴のところを通過して、付け根部の装着部のところが取付穴に嵌り込むようになった。そして、一旦装着された後は、上記弾性リブが、その弾性力によって放射状に拡がり、本弾性リブが取付穴のところに係合するようになるので、本クッションは簡単には脱落しないようになった。
【００３４】
また、本発明においては、ストッパの役目を果すボデー部及び当該ボデー部に連続して設けられるものであって取付部材への装着に寄与する係合部からなるクッションに関して、全体をゴム状弾性体にて形成させるとともに、上記係合部を、上記ボデー部への付け根部のところに形成されるものであって所定の径及び所定の長さを有するように形成される装着部と、自由状態時においては上記装着部のところから放射状に拡がるように形成される複数本の脚部と、からなるようにするとともに、上記各脚部の先端部付近に、所定のＯリングが嵌り込むように形成された凹溝を設けるようにした構成を採ることとしたので、上記放射状に拡がるように形成された各脚部の先端をまとめて一束状に束ねるとともに、このように束ねられた脚部の先端部に設けられた凹溝内に所定の径を有するＯリングを嵌め込むことによって、各脚部はまとめられて一本の棒状体を形成するようになり、このように棒状に形成された脚部のところを取付穴に差し込むとともに、上記Ｏリングを取付穴の際のところに係合させた状態で本クッション全体を上方から押し付け、上記棒状に形成された脚部全体を取付穴内へ挿入させることによって、上記Ｏリングを装着部の付け根部まで移動させるとともに、脚部全体を元の拡がった状態にして上記取付穴の周りに係合させることができるようになった。その結果、拡がった脚部が取付穴に対する拘束力を発揮するようになり、本クッションは上記取付穴から簡単には脱落しないようになった。
【図面の簡単な説明】
【図１】本発明にかかる第一の実施形態に関するものの全体構成を示す縦断面図である。
【図２】第一の実施形態に関するものの、その装着状態を示す図である。
【図３】第一の実施形態に関するものの、その変形例を示す縦断面図である。
【図４】本発明にかかる第二の実施形態に関するものの、その装着手順を示す説明図である。
【図５】第二の実施形態にかかるものの使用状態（傾いた状態）を示す図である。
【図６】本発明にかかる第三の実施形態の全体構成を示す縦断面図である。
【図７】第三の実施形態に関するものの、その装着手順を示す説明図である。
【図８】本発明にかかる第四の実施形態に関するものの全体構成を示す縦断面図である。
【図９】第四の実施形態に関する弾性リブの全体構成を示す平面図であり、図８のＸＸ断面図である。
【図１０】第四の実施形態についての、その変形例の全体構成を示す外観図及び半断面図である。
【図１１】本発明の第一の実施形態についての変形例の全体構成、及び、その装着手順を示す説明図である。
【図１２】第五の実施形態についての全体構成を示す外観図及び半断面図である。
【図１３】本発明にかかる第六の実施形態に関するものの全体構成を示す外観図及び一部断面図である。
【図１４】第六の実施形態にかかる脚部の全体構成を示す斜視図である。
【図１５】第六の実施形態にかかるものの、その装着手順を示す説明図である。
【図１６】第六の実施形態に関するものの、その脚部についての変形例を示す斜視図である。
【図１７】従来例の全体構成を示す縦断面図である。
【符号の説明】
１  ボデー部
１１  フランジ部
１５  中空穴
１９  係合溝
２  係合部
２１  袋状部（袋状係合部）
２１１  底面部
２１５  操作部
２２  くびれ部
２２５  中空部
２３  係合突起部
２４  装着部
２５  柱状体部
２５１  弾性リブ
２５２  肉抜き部
２５５  導入部
２６  脚部
２６１  フランジ
２６８  凹溝
２９  薄肉部
５  治具
５５  ホルダ
５５１  係合爪
８  Ｏリング
９  取付部材
９１  取付穴
【図１】
0003867545.tif 000002
【図２】
0003867545.tif 000003
【図３】
0003867545.tif 000004
【図４】
0003867545.tif 000005
【図５】
0003867545.tif 000006
【図６】
0003867545.tif 000007
【図７】
0003867545.tif 000008
【図８】
0003867545.tif 000009
【図９】
0003867545.tif 000010
【図１０】
0003867545.tif 000011
【図１１】
0003867545.tif 000012
【図１２】
0003867545.tif 000013
【図１３】
0003867545.tif 000014
【図１４】
0003867545.tif 000015
【図１５】
0003867545.tif 000016
【図１６】
0003867545.tif 000017
【図１７】
0003867545.tif 000018